(57)【要約】【課題】実際にどの情報までが作業済みであるのかについて客観的に判断ができるようにすることにより、入力作業効率を改善することを可能とする。【解決手段】複数単位のイメージデータを一画面に表示し、各単位毎にイメージデータを参照しつつ、データ入力作業を行うデータ入力装置において、前記データ入力作業を終了した単位毎に所定のマークを付加するマーク手段を備える。【選択図】    図１
2007226644.tif 000002
【特許請求の範囲】
【請求項１】
複数単位のイメージデータを一画面に表示し、各単位毎にイメージデータを参照しつつ、データ入力作業を行うデータ入力装置において、
前記データ入力作業を終了した単位毎に所定のマークを付加するマーク手段、
を備えたことを特徴とするデータ入力装置。
【請求項２】
現在のデータ入力作業の対象である単位イメージを指示するガイド線の初期位置を設定する位置設定手段と、
前記単位イメージの幅を設定する幅設定手段と、
前記設定された幅毎に前記ガイド線を移動する移動手段と、
を備えたことを特徴とする請求項１記載のデータ入力装置。
【請求項３】
現在のデータ入力作業の対象である単位イメージを指示するガイド線の初期位置を設定する位置設定手段と、
前記単位イメージの幅を設定する幅設定手段と、
前記設定された幅毎に前記イメージデータをスクロールするスクロール手段と、
を備えたことを特徴とする請求項１記載のデータ入力装置。
【請求項４】
複数件の振込先の情報を含む帳票のイメージデータを表示するイメージ表示部と、振込先１件ごとにデータの入力を受け付けるデータ入力部とを備え、各振込先ごとにイメージデータを参照しつつ、振込先１件ごとのデータ入力作業を行うためのデータ入力装置において、
前記イメージ表示部は、イメージデータ上の入力対象の振込先の位置にガイドを表示し、
１件の振込先の入力完了を受け付けると、当該振込先のイメージデータ上に入力完了を示す表示を行うとともに、次の入力対象の振込先の位置にガイドを移動することを特徴とするデータ入力装置。
【請求項５】
１件目の振込先データの入力のとき、
イメージデータ上の１件目の振込先の開始位置と終了位置を指定させることにより、１件分の振込先のイメージデータ上の幅を設定する幅設定手段と、
前記設定された幅ごとに前記ガイドを移動する移動手段と、
を備えたことを特徴とする請求項４記載のデータ入力装置。
【請求項６】
前記ガイドの移動は、イメージデータを上に移動することにより行われ、
前記入力完了を示す表示はイメージデータとともに移動する、
ことを特徴とする請求項４または５記載のデータ入力装置。
【請求項７】
前記ガイドはイメージデータ上に表示する横線であり、
前記入力完了を示す表示は、済マークである、
ことを特徴とする請求項４から６のいずれかに記載のデータ入力装置。
【発明の詳細な説明】
【技術分野】
【０００１】
本発明は、１枚に複数件のデータを含む帳票のイメージを表示して、データ入力作業を行うデータ処理システムにおけるデータ入力装置に関するものである。
【背景技術】
【０００２】
例えば、金融機関の為替取引システムにおける為替データの入力は、処理すべき為替帳票のイメージを取得して表示し、オペレータがその帳票イメージを参照しながら、為替データの入力作業を行う。また、金融機関の為替取引に利用する為替ＯＣＲシステム等の、データ処理システムにおいては、ＯＣＲ（文字認識装置）による文字認識の完了後、オペレータがその認識前の帳票イメージを画面で参照することにより、その文字認識結果を確認あるいは修正する入力作業が行われる。
【０００３】
この種の入力作業において使用される画面には、イメージ一件画面と称するものと、イメージ連記画面と称するものとがある。
イメージ一件画面とは、一件分の情報を含む帳票イメージ毎に１つの画面で表示するものである。
【０００４】
イメージ連記画面とは、複数件の情報を含む帳票イメージを１つの画面で表示するものである。
本発明は、特に、後者のイメージ連記画面を使用する場合に関する。
【０００５】
ところで、例えば、金融機関の為替取引ないしは振込取引においては、振込情報を一件ずつ一枚の帳票に記載する場合のほか、一枚の帳票に複数の振込情報を連記する場合があり、後者の場合には、入力作業（為替取引システムにおいてはエントリ作業と称し、この作業を行う業務をエントリ業務という）は同一の画面に表示された複数の振込情報のうちの各振込情報を１つずつ参照しながら行うこととなる。
【０００６】
ここで、特に連記式の帳票の場合、金融機関の指定帳票の他に、為替取引を依頼する依頼人となる企業ごとに、独自に作成して金融機関に持ち込まれるような帳票が存在する。このような帳票は書式が作成した依頼人ごとに異なるので、入力対象データの帳票上の記載位置は、帳票ごとにまちまちとなる。このため、振込先についても、開始位置や１件ごとの幅は帳票ごとにまちまちとなる。
【０００７】
この場合、オペレータがエントリ（文字認識結果の確認あるいは修正を含む）のために参照している振込情報の文書イメージが同一画面上のどれであるのか、わかりやすくする必要があることから、従来は、画面上に、例えば、ガイド線を表示して、このガイド線を対象となる文書イメージに合わせて作業を行うようにしている。
【０００８】
すなわち、図５に示すように、ガイド線２３を枝番「１」で示された先頭の振込情報に合わせて、イメージ部２１においてガイド線２３で指示された文書イメージを参照しながら、入力部２２において枝番「１」のデータについて入力作業を行い、その作業後は、オペレータの手動によりガイド線２３を枝番「２」で示される振込情報に合わせて、次の枝番「２」についての入力作業に進むようにしていた。
【０００９】
しかしながら、このようなガイド線は、従来は、完全に手動によって設定されていたため、実際にどの情報までが作業済みであるのかについてオペレータ自身が客観的に判断ができなくなる場合が生じた。
【００１０】
すなわち、図５において、枝番「１」から順次枝番「２」以降に入力作業を続けていく場合には順調に作業が進められるとしても、一画面分の作業を終了する前の途中において一旦作業を中断して再開したような場合には、ガイド線２３のすぐ上の情報について作業が済んでいるのか次の情報についての作業を開始しようとしてガイド線２３を１段下げた状態で作業を中断したのかわからなくなる。
【００１１】
また、そもそも、ガイド線２３は手動によって動かせることから、その位置と入力作業の有無との間には客観的な結びつきは存在せず、単にその位置に合わせたというオペレータの主観にのみ頼ることとなり、はたしてどこまでが入力作業済みかどうなのかオペレータ自らがわからなくなる場合もあり得た。
【００１２】
そのため、ガイド線自体頼りにならなくなり、作業効率を悪化させることとなり、さらに、場合によっては不適切な位置にガイド線を移動させてしまう場合も想定し得る。
【００１３】
そのような場合においては、図５において、入力部２２における枝番の表示２６を確認しないまま、イメージ部２１においてガイド線２３によって単に指示された文書イメージとの参照を行ってしまうことに起因して、入力ミスも生じかねなかった。
【００１４】
【特許文献１】特開平５−２０２９８号公報
【発明の開示】
【発明が解決しようとする課題】
【００１５】
解決しようとする問題点は、イメージ連記画面において実際にどの情報までが作業済みであるのかについてオペレータ自身が客観的に判断ができずに作業効率が悪化するという点である。
【課題を解決するための手段】
【００１６】
本発明は、複数単位のイメージデータを一画面に表示し、各単位毎にイメージデータを参照しつつ、データ入力作業を行うデータ入力装置において、前記データ入力作業を終了した単位毎に所定のマークを付加するマーク手段を備えたことを最も主要な特徴とする。
【発明の効果】
【００１７】
本発明のデータ入力装置は、複数単位のイメージデータを一画面に表示し、各単位毎にイメージデータを参照しつつ、データ入力作業を行うデータ入力装置において、前記データ入力作業を終了した単位毎に所定のマークを付加するマーク手段を備えたので、これに付されたマークによってイメージ連記画面において実際にどの情報までが作業済みであるのかについて客観的に判断ができ、作業効率を改善することができるという利点がある。
【発明を実施するための最良の形態】
【００１８】
イメージ連記画面において作業効率を改善するという目的を、銀行等の金融機関の為替取引システムで、実現した。
【実施例１】
【００１９】
図１は、本発明に係るシステムの構成を示す図である。
図示のシステムは、金融機関の為替取引システムであり、営業店１と、事務センタ２とから成る。
【００２０】
営業店１は、振込帳票のイメージを読み取るスキャナ３と、スキャナ３を接続したスキャナＰＣ４と、通信装置５とから成り、スキャナＰＣ４は、通信装置５によってネットワーク６に接続されている。
【００２１】
事務センタ２は、通信装置７によってネットワーク６に接続されたＬＡＮ等の通信回線８と、通信回線８に接続された為替サーバ９と、Ｗｅｂサーバ１０と、複数のエントリＰＣ１１、１２とから成る。
【００２２】
上記システムにおいては、スキャナ３で読み取られた帳票イメージの読み取りデータをスキャナＰＣ４が受け取る。スキャナＰＣ４は、ＯＣＲ（文字認識装置）を備えており、ＯＣＲによって帳票イメージに含まれる各文字のイメージを切り出して、それらを各文字コードすなわちテキストデータに変換する。なお、このようなＯＣＲによる文字認識処理は、ＯＣＲ対象帳票の場合に行われる。具体的には、ＯＣＲでの文字認識処理は、まず帳票の種類を帳票ＩＤ等によって識別し、ＯＣＲ対象帳票であることが判明すると、続いて文字認識処理を行う。ＯＣＲ対象帳票でないか、帳票種類の識別に失敗した場合、文字認識は行われず、空のテキストデータが生成される。
【００２３】
スキャナＰＣ４は、帳票のイメージデータと文字認識の結果得られたテキストデータを、通信装置５、ネットワーク６、通信装置７および通信回線８を介して、為替サーバ９へ転送する。転送されたイメージデータとテキストデータは為替サーバ９のディスク装置に格納され、複数のエントリＰＣ１１、１２に配信される。
【００２４】
エントリＰＣ１１、１２では、配信されたイメージデータとテキストデータを図２に示すような画面に表示する。図２に示す画面は、各エントリＰＣ１１、１２におけるＣＲＴや液晶表示装置等の表示装置によって表示され、イメージ部２１と、入力部２２とから成る。
【００２５】
イメージ部２１には、営業店１のスキャナ３によって読み取られたままの帳票のイメージデータが表示される。この場合の帳票は、枝番「１」から書き始められて画面上横方向すなわちｘ座標方向に一件分の振込情報が記載され、画面上縦方向すなわちｙ座標方向に枝番「２」以降の続く振込情報が連続的に記載される、連記式の帳票である。画面上横方向に記載される一件分の振込情報には、「振込先」、「受取人」、「金額」が含まれる。
【００２６】
入力部２２には、イメージ部２１に表示された帳票上の各項目のイメージデータに対応する入力フィールドが表示される。なお、表示される項目は為替取引に必要な項目が表示されるようになっており、帳票の種類によらず一定である。これらの入力フィールドには、ＯＣＲによる文字認識結果すなわち帳票上の各項目のイメージに対応して得られたテキストデータが表示される。なお、ＯＣＲ対象外の帳票の場合は、空のデータが表示される。
【００２７】
オペレータは、上記イメージを参照しながら、エントリ操作を行う。すなわち、ＯＣＲ対象帳票の場合、オペレータが上記イメージと、それと対応するテキストデータとを比較参照した結果、ＯＣＲが誤認識していると判断した場合、該当する入力フィールドに対し、キーボードによりテキストの修正を行う。
【００２８】
エントリされた入力データあるいは適宜修正されたテキストデータは、為替サーバの磁気ディスクに格納される。そして、このデータは、Ｗｅｂサーバ１０を経由して、エントリＰＣ１１、１２ないしスキャナＰＣ４によって照会することができる。
【００２９】
次に、上述したシステムにおける本発明に係る動作を説明する。
上述したエントリ業務において、エントリＰＣ１１、１２の各表示装置に表示される画面は、図２に表示されるような内容のものである。
【００３０】
図１において、営業店１からネットワーク６を介して事務センタ２における為替サーバ９によって受け取られた為替イメージおよび文字認識結果は、為替サーバ９のディスク装置に格納される。
【００３１】
事務センタ２のエントリＰＣ１１、１２では、オペレータがエントリ作業を開始することにより、すなわち、例えば、キーボードの開始ボタン（ともに図示せず）を押下することにより、為替サーバ９のディスク装置に格納された所定の為替イメージおよび文字認識結果が通信回線８を介して読み出され、為替サーバ９のメモリに配信画面データ（ともに図示せず）として格納される。
【００３２】
図３のフローチャートは、本発明に係るデータ処理を示す。
ステップＳ１で、配信画面データは、エントリＰＣ１１、１２の表示装置に表示された為替画面に表示される。この為替画面の構成は、図２に示すように、上部がイメージ部２１で、下部が入力部２２である。入力部２２の各フィールドには、文字認識結果であるテキストデータが表示される。このテキストデータは、前述のとおり、ＯＣＲ対象外帳票の場合は空のデータとなる。エントリ操作は、ＯＣＲ対象帳票、ＯＣＲ対象外帳票のいずれの場合でも同様の操作となる。以下、テキストデータが存在する場合を例に説明するが、テキストデータが存在しない場合であっても、確認修正ではなく新規入力となる以外は同様である。
【００３３】
ここで、オペレータは、エントリ作業を開始する。すなわち、図２に示すようなイメージ部２１の為替イメージを参照しながら、それに対応する入力部２２の入力フィールドに表示されたテキストデータにイメージとの食い違いがないか、つまり文字認識結果に誤認識が生じていないかを確認し、もし誤認識があればキーボードのキー入力によりテキストデータを修正する。
【００３４】
ところで、１枚の帳票に複数件の振込先情報ないしは振込明細が記載される、連記式帳票の場合、現在エントリ操作の対象となっている明細が何番目かを判断しながら、入力作業をする必要がある。そのため、以下の処理を行う。
【００３５】
ステップＳ２で、図５に示すように、画面上のガイド線２３を現在エントリ作業の対象となっている明細の位置、すなわち、図５において、枝番「１」の振込先の記載領域の終了位置すなわち下端に合わせる。また、このとき、画面を自動スクロールする幅を指定する。すなわち、図５において、枝番「１」の振込先の記載領域の開始位置すなわち上端を指定することにより、幅合わせを行う。この位置合わせと幅合わせは、オペレータが手動で行う。この開始位置と終了位置の差分がスクロール幅すなわち１件分の明細幅として記憶される。
【００３６】
そして、ステップＳ３で、オペレータは、ガイド線２３に従って、現在作業対象となっている振込情報のイメージを見ながら、入力作業すなわちＯＣＲによる文字認識結果の修正を行う。その後、オペレータは、キーボード上のエンターキーを押下する。これにより、図２の入力部２２は、次の振込情報分に移行する。これは、枝番の表示２６が「０１」から「０２」に変わることによってオペレータに伝えられる。
【００３７】
この後、ステップＳ４で、図２のイメージ部２１には、入力作業の完了した振込情報分のイメージについて済マーク２４が表示される。
【００３８】
また、ステップＳ５で、ガイド線２３が自動的に次の振込情報分のイメージのところに移動される。このときの移動距離は、前述のスクロール幅が用いられる。そして、ステップＳ６で、次の振込情報があると判定される場合、ステップＳ２ないしＳ５を繰り返し実行し、ステップＳ６で、次の振込情報がないと判定される場合、処理を終了する。
【００３９】
以後、オペレータは、次の１件分の為替データについて入力作業を行う。
図２に示す例は、枝番が「１」ないし「３」の明細分について入力作業が完了し、次の枝番が「４」の明細分について入力作業が開始される例である。
【００４０】
次に、図４のフローチャートを参照して本発明に係る動作の詳細を説明する。図４のフローチャートに示す例では、オペレータが先頭の振込情報について位置合わせと幅合わせを行うことで、イメージ部２１において、作業を完了した振込情報に対し、「済」のマークが付されつつ、画面に表示されるガイド線２３が自動的に移動される。
【００４１】
まず、ステップＳ１１では、入力作業の対象となっている振込情報が先頭の枝番のものか、すなわち画面が図５に示すような状態になっているかを判定する。この判定は、枝番の表示２６を参照し、これが「１」であるか否かを判定することにより行える。
【００４２】
ステップＳ１１の判定結果が肯定であるときは、ステップＳ１２で、前述のとおり、図５に示すように、枝番「１」の振込情報イメージに対し、ガイド線２３を合わせる。これにより、ガイド線移動開始位置を設定する。また、各振込情報イメージの幅が等しいため、先頭の幅に合わせてガイド線移動幅を設定する。
【００４３】
また、ステップＳ１１の判定結果が否定であるときは、ステップＳ１２は実行されず、ガイド線２３の移動ができないようになっている。
【００４４】
ステップＳ１３では、オペレータによりエンターキーが押下されたか、すなわちエントリ作業が済みになったかを判定する。この判定が否定であるときは、現在のガイド線位置で指示されている振込情報について作業中であり、ガイド線を移動できないので、本処理を終了する。
【００４５】
ステップＳ１３の判定結果が肯定であるときは、ステップＳ１４で済マークの表示位置が算出され、その位置に済マークが表示される。表示位置の算出には、ステップＳ１２で設定されたガイド線移動開始位置から、同様に設定されたスクロール幅の２分の１を差し引いて、済マークの表示位置のｙ座標を算出する。ｘ座標は「０」で固定とする。
【００４６】
済マークは、本実施例では、小領域のメモリエリアを確保し、そこに「済」の文字のビットマップパターンを用意し、ＯＳのコマンドを使って、画面上の座標を指定してオーバレイ表示する。
【００４７】
次に、ステップＳ１５では、ガイド線移動位置を算出する。この算出は、ステップＳ１２で設定されたガイド線移動開始位置に、スクロール幅を加えて、済マークの表示位置のｙ座標を算出することにより行う。
【００４８】
次のステップＳ１６では、画面上のステップＳ１５で算出されたｙ座標位置に横線を表示するコマンドを発行することにより、ガイド線を移動させる。
【００４９】
次に、図６のフローチャートを参照して本発明に係る動作の詳細の他の例を説明する。図６のフローチャートに示す例では、オペレータが先頭の振込情報について位置合わせと幅合わせを行うことで、イメージ部２１に表示される画面が自動スクロールされつつ、作業を完了した振込情報に対し、「済」のマークが付される。
【００５０】
まず、ステップＳ２１では、一枚の帳票に複数の振込情報が記載されるような連記式の帳票が処理の対象となっているか否かを判定する。この判定は、図１に示す為替サーバ９に登録されたデータを参照することにより行う。
【００５１】
例えば、帳票の様式が、企業で制定されたものが連記式で、銀行で制定されたものが一件式である場合においては、帳票データが営業店から事務センタに送られてきた際に、帳票様式について企業式か銀行式かのいずれの様式であるかを示すデータが登録されている。そこで、このデータを参照することにより、帳票の様式を判定する。
【００５２】
ステップＳ２１の判定の結果、連記式でないときは、帳票イメージをスクロールする必要がないので、処理を終了する。
ステップＳ２１の判定の結果、連記式であるときは、ステップＳ２２以下の処理に進む。
【００５３】
ステップＳ２２では、帳票中の枝数が「１」以下であるか否かが判定される。この判定の結果が肯定であるときは、連記式の帳票であっても、イメージをスクロールする必要はないので、処理を終了する。
【００５４】
ステップＳ２２の判定結果が否定であるときは、ステップＳ２３で、入力作業の対象となっている振込情報が先頭の枝番のものか、すなわち画面が図５に示すような状態になっているかを判定する。この判定は、枝番の表示２６を参照し、これが「１」であるか否かを判定することにより行える。
【００５５】
ステップＳ２３の判定結果が肯定であるときは、ステップＳ２４で、前述のとおり、図５に示すように、枝番「１」の振込情報イメージに対し、ガイド線２３を合わせる。これにより、スクロール開始位置を設定する。また、各振込情報イメージの幅が等しいため、先頭の幅に合わせてスクロール幅を設定する。
【００５６】
また、ステップＳ２３の判定結果が否定であるときは、ステップＳ２４は実行されず、ガイド線２３の移動ができないようになっている。
【００５７】
ステップＳ２５では、現在これから作業が開始される振込情報が先頭の情報かを判定する。この判定は、現在入力部２２において表示されている枝番の表示２６が「０１」であるかを判定することにより行える。この判定が肯定であるときは、現在表示されている画面上には作業済みの振込情報は存在しないため、次のステップＳ２６は実行しない。
【００５８】
ステップＳ２５の判定結果が否定であるときは、ステップＳ２６が実行され、済マークの表示位置が算出され、その位置に済マークが表示される。すなわち、ステップＳ２４で設定されたスクロール開始位置から、同様に設定されたスクロール幅を差し引いて、済マークの表示位置のｙ座標を算出する。ｘ座標は「０」で固定とする。
【００５９】
済マークは、本実施例では、小領域のメモリエリアを確保し、そこに「済」の文字のビットマップパターンを用意し、ＯＳのコマンドを使って、画面上の座標を指定してオーバレイ表示する。
【００６０】
ステップＳ２７では、イメージ部２１に表示されているイメージデータの全体を前記スクロール幅分スクロールする。スクロールとは、周知のように、画面に表示されるべき全情報が表示できない場合に、画面に表示される情報を動かして見られる機能をいう。これは、ＯＳの機能であり、コマンドにより、例えば、方向は上方向でスクロールの幅は何某かを指定することで行われる。このとき、オーバレイ表示した済マークも、イメージデータに同期して前記スクロール幅分スクロールされる。
【００６１】
以上詳述した実施例は、以下の効果を奏する。済マークによってどの振込情報まで入力作業が完了しているかを目視で簡単に確認できるため、ガイド線の調整操作を効率よく行うことができる。また、誤って別の振込情報イメージを見ながら入力を行ってしまうなどのミスを防ぐことができる。
【００６２】
なお、上述した実施例では、為替ＯＣＲシステムについて説明したが、本発明はこれに限らず、画面上で複数単位のイメージを見ながらデータ入力作業を行うその他のデータ入力装置についても同様に適用することができる。
【図面の簡単な説明】
【００６３】
【図１】本発明に係るシステムの構成を示す図である。
【図２】配信画面の一例を示す図である。
【図３】本発明に係るデータ処理を示す図である。
【図４】本発明に係る動作の詳細を示す図である。
【図５】初期設定時の配信画面の一例を示す図である。
【図６】本発明に係る動作の詳細を示す図である。
【符号の説明】
【００６４】
１    営業店
２    事務センタ
３    スキャナ
４    スキャナＰＣ
５    通信装置
６    ネットワーク
７    通信装置
８    通信回線
９    為替サーバ
１０  Ｗｅｂサーバ
１１、１２  エントリＰＣ
【図１】
2007226644.tif 000003
【図２】
2007226644.tif 000004
【図３】
2007226644.tif 000005
【図４】
2007226644.tif 000006
【図５】
2007226644.tif 000007
【図６】
2007226644.tif 000008